(57)【要約】【課題】乳房を支持し、その形状を補正しつつ、乳房の乳汁の分泌を促すことができるブラジャーを提供すること。【解決手段】利用者の乳房を収容するカップ部１２と、カップ部の利用者の肩側に接続され、利用者の肩に配置されるストラップ部１３と、カップ部に連結され、カップ部を利用者の体に固定するためのベルト部１４と、を有し、ストラップ部の少なくとも一部が弾性体で成ると共に、カップ部の外周部のうち少なくとも、ストラップ部の反対側に位置するカップ下側部に、乳房の身体側である乳房の基底部１０ｇを保護する基底保護部１２ａが形成されているブラジャー１。【選択図】図１
2010126857.tif 000002
【特許請求の範囲】
【請求項１】
利用者の乳房を収容するカップ部と、
前記カップ部の利用者の肩側に接続され、利用者の肩に配置されるストラップ部と、
前記カップ部に連結され、前記カップ部を利用者の体に固定するためのベルト部と、を有し、
前記ストラップ部の少なくとも一部が弾性体で成り、前記ストラップ部は、前記カップ部側に配置されるカップ側ストラップ部と、前記カップ側ストラップ部より肩よりに形成される肩側ストラップ部とを有すると共に、これらカップ側ストラップ部と肩側ストラップ部の弾性力が相違する構成となっており、
前記カップ部の外周部のうち少なくとも、前記ストラップ部の反対側に位置するカップ下側部に、乳房の身体側である乳房の基底部を保護する基底保護部が形成されていることを特徴とするブラジャー。
【請求項２】
前記基底保護部は、前記カップ下側に円弧状に形成されていることを特徴とする請求項１に記載のブラジャー。
【請求項３】
前記カップ部の外周部のうち、少なくとも、前記ストラップ部が接続される側であるカップ上側部に弾性体が配置されていることを特徴とする請求項１又は請求項２に記載のブラジャー。
【請求項４】
前記カップ上側部に配置されている前記弾性体が、前記カップ側ストラップ部と連接して配置されていることを特徴とする請求項３に記載のブラジャー。
【請求項５】
前記カップ側ストラップ部が、前記肩側ストラップ部より伸縮し易い弾性体で形成されていることを特徴とする請求項１乃至請求項４のいずれかに記載のブラジャー。
【請求項６】
前記カップ上側部に配置されている弾性体と、前記カップ側ストラップ部の弾性体が同一であることを特徴とする請求項５に記載のブラジャー。
【請求項７】
前記カップ側ストラップ部と、前記肩側ストラップ部とを相互に分離可能に連結する連結部を有することを特徴とする請求項５又は請求項６に記載のブラジャー。
【請求項８】
前記ベルト部の上端側には、弾性体が配置され、この弾性体が、前記カップ上端部に配置されている前記弾性体と連接して配置されていることを特徴とする請求項３乃至請求項７のいずれかにかに記載のブラジャー。
【請求項９】
前記カップ部の内側には、母乳パッドを脱着可能な脱着部が備えられると共に、前記母乳パッドを保持する保持部も備えていることを特徴とする請求項１乃至請求項８のいずれかに記載のブラジャー。
【発明の詳細な説明】
【技術分野】
【０００１】
本発明は、例えば妊婦や出産後の母親等のためのブラジャーに関するものである。
【背景技術】
【０００２】
従来より、ブラジャーは女性の乳房を安定させるために支え、若しくは乳房の形状を補正等するために用いられる。
具体的には、ブラジャーは、乳房を包み込むカップ部と、乳房の下側を結ぶと共に背中まで回り、カップ部が外れないように固定する機能を発揮するベルト部と、カップ部の上端から伸び長さの調節できる紐で、肩を廻って背中でベルトと繋がっているストラップと、を有している。
また、ブラジャーは、乳房を下から支え、カップ部によって形を整えるようになっているので、ベルト部でカップ部が胸部に密着するようにすると共に、ストラップで肩から支えカップ部を含めたブラジャー全体が、下にずれ落ちないようにしている。そのためストラップで、肩よりブラジャーを吊している構造となっている。さらに、ブラジャーは、ベルト部を結び合わせるホックを有している。
【０００３】
すなわち、ブラジャーは、乳房を支持し、その形状を補正するために、カップ部内の乳房をベルトとストラップ等で安定化させ、カップ部内の乳房の動きを抑制する構成となっている（例えば、特許文献１）。
【特許文献１】特開平９−３７０６号公報（図２等）
【発明の開示】
【発明が解決しようとする課題】
【０００４】
しかし、従来のブラジャーを妊婦や出産後の母親等が着用すると、ブラジャーが乳房を圧迫するため、乳房を緊張させ、乳房の血流を悪くし、その結果、乳汁の分泌が悪くなるという問題があった。
【０００５】
そこで、乳房を支持し、その形状を補正しつつ、乳房の乳汁の分泌を促すことができるブラジャーを提供することを目的とする。
【課題を解決するための手段】
【０００６】
前記課題は、本発明によれば、利用者の乳房を収容するカップ部と、前記カップ部の利用者の肩側に接続され、利用者の肩に配置されるストラップ部と、前記カップ部に連結され、前記カップ部を利用者の体に固定するためのベルト部と、を有し、前記ストラップ部の少なくとも一部が弾性体で成り、前記ストラップ部は、前記カップ部側に配置されるカップ側ストラップ部と、前記カップ側ストラップ部より肩よりに形成される肩側ストラップ部とを有すると共に、これらカップ側ストラップ部と肩側ストラップ部の弾性力が相違する構成となっており、前記カップ部の外周部のうち少なくとも、前記ストラップ部の反対側に位置するカップ下側部に、乳房の身体側である乳房の基底部を保護する基底保護部が形成されていることを特徴とするブラジャーにより達成される。
【０００７】
前記構成によれば、ストラップ部の少なくとも一部が弾性体で成ると共に、カップ部の外周部のうち少なくとも、ストラップ部の反対側に位置するカップ下側部に、乳房の身体側である乳房の基底部を保護する基底保護部が形成されている。
通常、女性の乳房は、皮膚、乳頭、乳輪部等を有するが、その内部には、母乳を血液の成分から作り出す乳腺組織と、作られた母乳を運ぶ乳管、それを取り囲む脂肪組織、血管等をからなる乳腺体を有している。そして、この乳腺体と女性の胸の筋肉との間の部分を基底部と呼んでいる。
乳房には、胸の筋肉（大胸筋）から血液が流れ込んでおり、この血液の流れ込み（血液循環）を良くすると、母乳の出が良くなるようになっている。しかし、人間は２足歩行をしているため、乳房は胸から重力で下方にズレ、乳房の重さにより、乳房の基底部にストレス（引張）が生じる。さらに、ブラジャーのカップ部によって、乳房を圧迫すると、乳房が緊張（乳緊）する。これら引張や乳緊により、乳房の基底部における血流が悪くなり、その結果、乳汁の分泌が悪くなり、母乳の出が悪くなることがあった。
この点、前記構成では、カップ部の外周部のうち少なくとも、ストラップ部の反対側に位置するカップ下側部に、乳房の身体側である乳房の基底部を保護する基底保護部を形成している。すなわち、上述の乳房の基底部に相当するカップ下側部に基底保護部を配置することで、乳房が重みにより下方にズレ、乳房の基底部にストレス（引張）が生じることを未然に防ぐことができる構成となっている。換言すれば、基底保護部により、乳房が下支えされる構成となっている。
【０００８】
また、前記構成によれば、ストラップ部の少なくとも一部が弾性体で成り、ストラップ部は、カップ部側に配置されるカップ側ストラップ部と、カップ側ストラップ部より肩よりに形成される肩側ストラップ部とを有すると共に、これらカップ側ストラップ部と肩側ストラップ部の弾性力が相違する構成となっている。
通常、ブラジャーを装着した女性が歩行等の動作をすると、それに応じて乳房も上下方向や左右方向等に揺れようとする。このとき、従来のブラジャーでは、カップ部とストラップ部等で、カップ部内の乳房がしっかり固定されるため、乳房が揺れ難い構成となっていた。
この点、本発明に係るブラジャーは、ストラップ部の少なくとも一部が弾性体で成っているので、これを装着した、女性が歩行等の動作をしたとき、ストラップ部が伸縮し、カップ部内の乳房は、その動きを阻害されることなく、上下方向や左右方向等に揺れることになる。
このようなカップ部内の乳房の揺れは、上述の基底部をマッサージすることになり、基底部における血行を良くし、乳汁の分泌を促すこととなる。
特に、前記構成では、ストラップ部は、カップ部側に配置されるカップ側ストラップ部と、カップ側ストラップ部より肩よりに形成される肩側ストラップ部とを有すると共に、これらカップ側ストラップ部と肩側ストラップ部の弾性力が相違する構成となっているので、カップ部内に揺れをより適切に制御することができ、より乳汁の分泌を促す構成となる。
【０００９】
このように、本発明のブラジャーは、基底保護部で、重力による基底部のストレス（引張）を排除した状態とし、この状態で、装着者が歩行等を行うと、乳房が揺れ、その際、ストラップ部の弾性体が伸縮し、基底部のマッサージがされ、基底部の血行が促進され、乳汁の分泌が促進され、母乳の出が良くなるという顕著な効果を奏する構成となっている。
【００１０】
好ましくは、前記基底保護部は、前記カップ下側に円弧状に形成されていることを特徴とするブラジャーである。
【００１１】
前記構成によれば、基底保護部は、カップ下側に円弧状に形成されており、この円弧状は、乳房の基底部の形状に合致した形状となっているので、基底保護部は、より精度良く乳房を下支えすることができ、これにより、乳房の基底部にストレス（引張）が生じることをより確実に防止することができる。
【００１２】
好ましくは、前記カップ部の外周部のうち、少なくとも、前記ストラップ部が接続される側であるカップ上側部に弾性体が配置されていることを特徴とするブラジャーである。
【００１３】
前記構成によれば、カップ部の外周部のうち、少なくとも、ストラップ部が接続される側であるカップ上側部に弾性体が配置されている。このため、ブラジャーを装着した女性が歩行等の動作をしたとき、ストラップ部のみならずカップ部の外周部も伸縮するので、カップ部内の乳房は、その動きをより阻害されることなく、より効果的な基底部のマッサージを行うことができる。
【００１４】
好ましくは、前記カップ上側部に配置されている前記弾性体が、前記カップ側ストラップ部と連接して配置されていることを特徴とするブラジャーである。
【００１５】
前記構成によれば、カップ上側部に配置されている弾性体が、カップ側ストラップ部と連接して配置されているので、ブラジャーを装着した女性が歩行等の動作をしたとき、カップ部内の乳房は、よりその動きが阻害されず、より効果的な基底部のマッサージを行うことができる。
【００１６】
好ましくは、前記カップ側ストラップ部が、前記肩側ストラップ部より伸縮し易い弾性体で形成されていることを特徴とするブラジャーである。
【００１７】
前記構成によれば、カップ側ストラップ部が、肩側ストラップ部より伸縮し易い弾性体で形成されている。このため、ストラップ部は、カップ側ストラップ部より伸縮し難い肩側ストラップ部で、ブラジャーをしっかり保持しつつ、伸縮し易いカップ側ストラップ部の伸縮が、乳房の動きに追従するので、効果的な基底部のマッサージも行うことができる。
すなわち、ストラップ部の有する乳房をしっかり保持するという機能を発揮させつつ、同時に、乳房の揺れも阻害しないという優れた構成となっている。
【００１８】
好ましくは、前記カップ上側部に配置されている弾性体と、前記カップ側ストラップ部の弾性体が同一であることを特徴とするブラジャーである。
【００１９】
前記構成によれば、カップ部とストラップ部とが同じ伸縮性を持つことになるため、カップ部の揺れをストラップ部が規制したり、ストラップ部の揺れをカップ部で規制したりすることなく、乳房の揺れを均一により自然に行うことができる構成となっている。
【００２０】
好ましくは、前記カップ側ストラップ部と、前記肩側ストラップ部とを相互に分離可能に連結する連結部を有することを特徴とするブラジャーである。
【００２１】
前記構成によれば、カップ側ストラップ部と、肩側ストラップ部とを相互に分離可能に連結する連結部を有する。このため、母親等が乳児に授乳する際に乳房を露出させ易く、且つ授乳後、再び乳房をカップ部内に収容させやすい構成となっている。
【００２２】
好ましくは、前記ベルト部の上端側には、弾性体が配置され、この弾性体が、前記カップ上端部に配置されている前記弾性体と連接して配置されていることを特徴とするブラジャーである。
【００２３】
前記構成によれば、ベルト部の上端側には、弾性体が配置され、この弾性体が、カップ上端部に配置されている弾性体と連接して配置されているので、ブラジャーを装着した女性が歩行等の動作をしたとき、カップ部内の乳房は、よりその動きが阻害されず、より効果的な基底部のマッサージを行うことができる。
特に、カップ上端部に配置されている弾性体が、ストラップ部の前記弾性体と連接して配置されている場合は、更に、円滑な基底部のマッサージを行うことができる。
【００２４】
好ましくは、前記カップ部の内側には、母乳パッドを脱着可能な脱着部が備えられると共に、前記母乳パッドを保持する保持部も備えていることを特徴とするブラジャーである。
【００２５】
前記構成によれば、カップ部の内側には、母乳パッドを脱着可能な脱着部が備えられると共に、母乳パッドを保持する保持部も備えている。このため、着脱可能な母乳パッドを装着して、歩行等をした際、基底部のマッサージのため乳房を揺らしても、その揺れにより、母乳パッドが外れ難い構成となっている。
【発明の効果】
【００２６】
本発明は、乳房を支持し、その形状を補正しつつ、乳房の乳汁の分泌を促すことができるブラジャーを提供することができるという利点がある。
【発明を実施するための最良の形態】
【００２７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２８】
図１は、本発明の実施の形態に係るブラジャー１を示す概略正面図であり、図２は、図１のブラジャー１の概略背面図である。図３は、女性の乳房の構造等を示す概略説明図である。
図１等に示す本実施の形態に係るブラジャー１の構成を説明する前に、図３を用いて女性の乳房の構造等を説明する。
図３に示すように、女性の乳房１０は、身体側１１から突出するように迫り出している。そして、このように迫り出している乳房１０は、皮膚１０ａ、乳頭１０ｂ及び乳輪部１０ｃを有するが、その内部には、母乳（乳汁）を血液の成分から作り出す乳腺１０ｆと、作られた母乳（乳汁）を運ぶ乳管１０ｄ、それを取り囲む脂肪組織１０ｅ、血管等とからなる乳腺体を有している。そして、この乳腺体と、身体側１１である女性の胸の筋肉との間の部分を基底部１０ｇと呼んでいる。
乳房１０には、身体側１１の胸の筋肉（大胸筋１０ｈ）から血液が流れ込んでおり、この血液の流れ込み（血液循環）を良くすると、母乳（乳汁）の出が良くなるようになっている。  
しかし、人間は２足歩行をしているため、乳房１０は胸から重力で下方にズレ、乳房１０の重さにより、乳房の基底部１０ｇにストレス（引張）が生じる。
また、ブラジャーのカップによって、乳房１０を圧迫すると、乳房が緊張（乳緊）する。これら引張や乳緊により、乳房の基底部１０ｇにおける血流が悪くなり、その結果、乳汁の分泌が悪くなり、母乳の出が悪くなることがあった。
【００２９】
このような乳房１０と母乳（乳汁）との関係を踏まえて、以下、本実施の形態に係るブラジャー１を説明する。
図１に示すように、ブラジャー１は、女性の双方の乳房を収容するためのカップ部１２、１２を有している。また、カップ部１２，１２の上端には、それぞれストラップ部１３、１３が接続されている。このストラップ部１３、１３は、利用者である女性の肩に配置される構成となっている。すなわち、ストラップ部１３は、カップ部１２のうち利用者の肩側に接続される構成となっている。
また、ブラジャー１には、これらカップ部１２、１２に連結され、これらカップ部１２、１２を利用者の体に固定するためのベルト部１４、１４がそれぞれ形成されている。
【００３０】
このように構成されるブラジャー１は、基本的には、利用者がその乳房を安定して保持するために用いられる。
ベルト部１４は、乳房１０を包み込んだカップ部１２、１２の下側を結ぶと共に利用者の背中まで回ることで、カップ部１２が外れないように固定する機能を発揮している。
ストラップ部１３は、カップ部１２の上端から伸び長さの調節できる紐となっており、肩を廻って背中でベルト部１４と繋がっている。
【００３１】
また、ブラジャー１は、乳房１０を下から支え、カップ部１２によって形を整えるようになっているので、ベルト部１４及びストラップ部１３により、カップ部１２が図３の身体側１１に密着するようにすると共に、ストラップ部１３で肩から支えカップ部１２を含めたブラジャー１全体が、下にずれ落ちないようになっている。すなわち、ストラップ部１３で、肩よりブラジャー１を吊している構造となっている。さらに、ブラジャー１は、ベルト部１４を結び合わせるホックを有している。
【００３２】
このように、ブラジャー１は、基本的に乳房１０を支持し、その形状を補正するために、カップ部１２内の乳房１０をベルト部１４とストラップ部１３等で安定化させ、カップ部１２内の乳房の動きを抑制する構成となっている。
【００３３】
しかし、人間は２足歩行をしているため、乳房１０は身体側１１の胸から重力で下方にズレ易い構成となっており、乳房１０の重さにより、乳房１０の基底部１０ｇにストレス（引張）が生じ易い状態となる。
また、ブラジャー１のカップ部１２によって、乳房１０を安定化させようとして、乳房１０を圧迫すると、乳房１０が緊張（乳緊）する。これら引張や乳緊により、図３に示す乳房１０の基底部１０ｇにおける血流が悪くなり、その結果、乳汁の分泌が悪くなり、母乳の出が悪くなることがあった。
そこで、本実施の形態では、かかる事態を生じさせないため、以下のような構成を採用している。
【００３４】
先ず、図１に示すように、カップ部１２、１２の下側には、それぞれ、円弧状に形成された基底保護部である例えば、ワイヤー１２ａ、１２ａが配置されている。このワイヤー１２ａ、１２ａは、図１に示すように、カップ部１２，１２の外周部であって、カップ部１２、１２のストラップ部１３、１３とは反対側のカップ下側部に配置され、利用者がブラジャー１を装着したときに、乳房１０の基底部１０ｇに対応する位置となっている。
また、このワイヤー１２ａは、金属や合成樹脂から形成されている。
したがって、ブラジャー１を装着した利用者の乳房１０が、その重みによって下方にズレて、乳房１０の基底部１０ｇにストレス（引張）が生じることを未然に防ぐことができる構成となっている。すなわち、乳房１０がワイヤー１２ａ、１２ａによって、下支えされる構成となっている。
【００３５】
また、図１に示すカップ部１２、１２は、その内部に収容される乳房を必要以上に圧迫することがないように、柔らかい生地で形成されている。
そして、この２つのカップ部１２、１２の上端に接続されているストラップ部１３、１３は、図１に示すように、カップ部１２側に配置されるカップ側ストラップ部１３ａと、このカップ側ストラップ部１３ａより肩側に配置（図において上方）される肩側ストラップ部１３ｂとを有している。
これらカップ側ストラップ部１３ａと肩側ストラップ部１３ｂとは、相互に分離可能に連結する連結部１３ｃで、着脱可能な構成となっている。したがって、利用者が、乳児に対し授乳をするときは、授乳させる側の乳房のカップ部１２を保持しているストラップ部１３の連結部１３ｃを操作することで、当該カップ部１２のみを外し、乳房を露出させ、円滑に授乳をさせることができる。
また、授乳後は、連結部１３ｃを操作することで、再び、当該カップ部１２内に乳房を収容することができる。
【００３６】
また、カップ側ストラップ部１３ａと肩側ストラップ部１３ｂとは共に、弾性体により形成されている。具体的には、例えば平板状のゴム等からなっており、少なくとも、長手方向により伸縮する構成となっている。
利用者が図１のブラジャー１を装着すると、上述のように、カップ部１２、１２のワイヤー１２ａ、１２ａによって、利用者の乳房１０の下側がワイヤー１２ａ、１２ａによって下支えされる。すなわち、利用者の図３に示す乳房１０の基底部１０ｇが引力によって下方に引っ張られる際に、ワイヤー１２ａ、１２ａによって、基底部１０ａを支えることとなるので、乳房１０の基底部１０ｇにストレス（引張）が生じることを防ぐこととなり、これにより、上述の基底部１０ｇにおける血流が悪くなる事態を防ぎ、その結果、乳汁の分泌が悪くなるような事態の発生を防止している。
【００３７】
また、利用者が図１のブラジャー１を装着して歩行等をする場合、その動作に応じて乳房１０も上下方向や左右方向等に移動し、揺れることになる。このとき、本実施の形態のブラジャー１は、ストラップ部１３のカップ側ストラップ部１３ａ及び肩側ストラップ部１３ｂがゴム等で形成されているので、上述の乳房１０の揺れ動作を阻害することなく、歩行等の動作に追従して上下方向や左右方向等に揺れることとなる。
そして、この乳房１０の揺れ動作は、図３の乳房１０の基底部１０ｇをマッサージする効果を発揮し、基底部１０ｇにおける血行を良くし、乳汁の分泌を促すこととなる。
このように、本実施の形態のブラジャー１は、利用者が装着すると、利用者の乳房１０の基底部１０ｇのストレス（引張）の発生を防ぎつつ、歩行等により基底部１０ｇのマッサージ効果も奏するので、基底部１０ｇの血行が促進され、乳汁の分泌が促進され、母乳の出が良くなるという顕著な効果を奏する構成となっている。
【００３８】
また、本実施の形態では、図１に示すように、カップ側ストラップ部１３ａのゴムの幅が、肩側ストラップ部１３ｂのゴムの幅より狭く形成されている。このため、カップ側ストラップ部１３ａの伸縮性が相違し、肩側ストラップ部１３ｂより高くなり、伸縮し易い構成となっている。
したがって、利用者がブラジャー１を装着したときに、背中から肩にかけては、肩側ストラップ部１３ｂでしっかりと保持されることで、ブラジャー１がずれることなく固定され、乳房１０の揺れに追従するという機能は、カップ側ストラップ部１３ａでより効果的に発揮させる構成となっている。
すなわち、ブラジャー１がずれることなく、乳房１０をしっかり保持することと、乳房１０の揺れに追従するという相反した要求を、本実施の形態では、伸縮性の違うカップ側ストラップ部１３ａと肩側ストラップ部１３ｂとを組み合わせることで達成している。
【００３９】
また、本実施の形態では、図１に示すように、カップ部１２、１２の外周部のうち、ストラップ部１３、１３が接続される側であるカップ上側部にゴムが形成され、カップ側ゴム部１２ｂとなっている。
このカップ側ゴム部１２ｂは、カップ部１２、１２の外周部のうち、ワイヤー１２ａ、１２ａが配置されていない部分である、カップ部１２、１２のそれぞれの内側縁と外側縁に配置され、図１に示すように、内側縁が中央側カップゴム部１２ｂａ、外側縁が側面側カップゴム部１２ｂｂとなっている。
そして、各カップ部１２の中央側カップゴム部１２ｂａ、１２ｂａは、相互にブラジャー１の中央部で連接されている。
【００４０】
また、各カップ部１２、１２のカップ側ゴム部１２ｂ、１２ｂは、図１に示すように、それぞれ、カップ側ストラップ部１３ａと連接して形成されている。また、カップ側ストラップ部１３ａとカップ側ゴム部１２ｂのゴムの幅は同一となっている。
したがって、カップ側ストラップ部１３ａ、１３とカップ側ゴム部１２ｂとが同じ伸縮性を持つことになるため、カップ部１２の揺れをストラップ部１３、１３が規制したり、ストラップ部１３、１３の揺れをカップ部１２、１２で規制したりすることなく、乳房の揺れを均一により自然に行うことができる構成となっている。
一方、図１に示すように、ベルト部１４に上端側には、弾性体であるベルト側ゴム部１４ａ、１４ａがそれぞれ形成され、このベルト側ゴム部１４ａ、１４ａは、カップ部１２、１２の側面カップゴム部１２ｂｂ、１２ｂｂと連接している。
また、ベルト側ゴム部１４ａ、１４ａも側面カップゴム部１２ｂｂ、１２ｂｂと同一の幅となっている。
【００４１】
このように、本実施の形態では、弾性体である伸縮性のあるゴム等が、カップ側ストラップ部１３ａ、１３ａのみならず、カップ部１２、１２の上側の周縁部である中央側カップゴム部１２ｂａ、１２ｂａや側面側カップゴム部１２ｂｂ、１２ｂｂにも配置され、ささらに、ベルト部１４の上端側にもベルト側ゴム部１４ａとして配置されている。
そして、これらが全て同じ幅の同じゴム等でなり、連接して形成されている。
したがって、本実施の形態のブラジャー１を装着した利用者が歩行等の動作をする際に生じる乳房１０の揺れをこれらのゴムによって、より阻害しない構成となっている。そのため、カップ部１２が柔らかい生地で成っていることと共に、より乳房１０の基底部１０ｇに対するマッサージ効果が高まる揺れを乳房１０に保証する構成となっている。
【００４２】
なお、図１のベルト部１４の下側にはブラジャー１を利用者の身体に適確に固定等するための弾性体である例えば、ベルト下側ゴム部１４ｂが配置されている。
【００４３】
本実施の形態に係るブラジャー１は、図２に示すようにカップ部１２，１２の内側に脱着可能な母乳を吸収する略円形の母乳パッド１５を装着する構成となっている。このため、カップ部１２，１２の内側には、図２に示すように、母乳パッド１５を挿入する袋状のパッド入れ１２ｃが形成されている。
また、本実施の形態では、パッド入れ１２ｃ、１２ｃ内のベルト部１４側と連結具１３ｃ、１３ｃとの間にカップ保持帯１２ｄ、１２ｄが備えられている。
このカップ保持帯１２ｄ、１２ｄは、図２に示すように、紐状を為し、カップ部１２、１２の長手方向に沿って、且つ、カップ部１２、１２の中央部を通るように配置されている。
したがって、利用者がブラジャー１を装着して、歩行等した際に、カップ部１２、１２が上下方向や左右方向等に揺れても、カップ部１２，１２内に配置される母乳パッド１５、１５が外れて落下等しない構成となっているとともに、授乳のためにカップ１２部を保持しているストラップ部１３の連結部１３ｃを操作して当該カップ部１２のみを外した際に、ストラップ部１３が緩みにより肩からの外れることを防止する構成となっている。
【００４４】
本発明は、上述の各実施の形態に限定されない。
【図面の簡単な説明】
【００４５】
【図１】本発明の実施の形態に係るブラジャーを示す概略正面図である。
【図２】図１のブラジャーの概略背面図である。
【図３】女性の乳房の構造等を示す概略説明図である。
【符号の説明】
【００４６】
１・・・ブラジャー、１０・・・乳房、１０ａ・・・皮膚、１０ｂ・・・乳頭、１０ｃ・・・乳輪、１０ｄ・・・乳管、１０ｅ・・・脂肪組織、１０ｆ・・・乳腺、１０ｇ・・・基底部、１０ｈ・・・大胸筋、１２・・・カップ部、１２ａ・・・ワイヤー、１２ｂ・・・カップ側ゴム部、１２ｂａ・・・中央側カップゴム部、１２ｂｂ・・・側面側カップゴム部、１２ｃ・・・パッド入れ、１２ｄ・・・カップ保持帯、１３・・・ストラップ部、１３ａ・・・カップ側ストラップ部、１３ｂ・・・肩側ストラップ部、１３ｃ・・・連結部、１４・・・ベルト部、１４ａ・・・ベルト側ゴム部、１４ｂ・・・ベルト下側ゴム部、１５・・・母乳パッド
【図１】
2010126857.tif 000003
【図２】
2010126857.tif 000004
【図３】
2010126857.tif 000005